(57)【特許請求の範囲】
【請求項１】
多数個を上下左右に組付けて花壇用の囲い壁（Ｙ）を構築するためのブロック体（１）であって、
ブロック体（１）の平面部（１０）における対向する２辺のうちの第１辺（１１）には、その辺長さ方向中央部に辺全長の１／２幅で外向きに突出する広幅凸部（２１）と、該広幅凸部（２１）の左右各側にそれぞれ辺全長の１／４幅づつの狭幅凹部（２２，２２）とを形成し、
前記ブロック体（１）の平面部（１０）における前記第１辺（１１）に対向する第２辺（１２）には、その辺長さ方向中央部に辺全長の１／２幅の広幅凹部（３１）と、該広幅凹部（３１）の左右各側にそれぞれ辺全長の１／４幅づつの狭幅凸部（３２，３２）とを形成し、
前記広幅凸部（２１）には、該広幅凸部（２１）と同幅で且つブロック体平面部（１０）の厚さ範囲内で下方に垂下する広幅垂下部（２３）を形成する一方、前記各狭幅凸部（３２，３２）には、該狭幅凸部（３２）と同幅で且つ広幅垂下部（２３）と同高さだけ下方に垂下する狭幅垂下部（３３）をそれぞれ形成するとともに、
各ブロック体（１，１・・）を上下左右に千鳥状に組付けたときに、前記広幅垂下部（２３）が下段側の２つのブロック体（１，１）の各狭幅凹部（２２，２２）で合成される合成凹部（２２Ａ）内に嵌入し得る一方、広幅凹部（３１）内に上段側の２つのブロック体（１，１）の各狭幅垂下部（３３，３３）で合成される合成垂下部（３３Ａ）が嵌入し得るように構成した、
ことを特徴とする花壇構築用ブロック体。
【発明の詳細な説明】
【０００１】
【発明の属する技術分野】
本願発明は、花壇構築用ブロック体に関するものである。
【０００２】
【従来の技術及び発明が解決しようとする課題】
花壇用の囲い壁を構築するには、一般に多数個のブロック体を上下左右に組付けて構築する場合が多い。
【０００３】
従来から使用されている花壇構築用ブロック体として、図７に示す直方体形状（例えばレンガ）のものがある。この図７の第１従来例では、直方体形状のブロック体１Ａを地面Ａ上に上下左右に組付けて囲い壁Ｙ１を構築している。尚、囲い壁Ｙ１の内部には、植物植え付け用の土壌Ｂが充填されるため、囲い壁Ｙ１には土壌Ｂによる土圧Ｃがかかる。
【０００４】
ところで、図７の第１従来例のように、直方体形状のブロック体１Ａで花壇用の囲い壁Ｙ１を構築する場合には、土圧Ｃに耐え得るように各ブロック体１Ａ，１Ａ間をモルタルＤで接着する必要がある。このモルタルＤによるブロック体接着作業は、使用するブロック体１Ａの全部について行う必要があるので花壇構築作業の能率が著しく低下するとともに、各ブロック体１Ａの組付け作業（モルタル接着作業）に熟練を要するという問題があった。
【０００５】
又、花壇構築用ブロック体として、従来から図８〜図１０（第２従来例）に示すもの、あるいは図１１〜図１３（第３従来例）に示すもの等がある。
【０００６】
図８に示す第２従来例のブロック体１Ｂは、平面部１０Ｂの一辺（設置時に花壇の内側となる）の下面に幅Ｗ１で下向きに垂下する垂下部１３を設けて構成されている。そして、この第２従来例のブロック体１Ｂは、図９に示すように、上段側のブロック体１Ｂを下段側のブロック体１Ｂに対して垂下部１３の幅Ｗ１だけ花壇内部側にずらせながら積み上げて囲い壁Ｙ２を構築する。尚、最下段のブロック体の垂下部１３は、地面Ａ中に埋め込んでおく。
【０００７】
この第２従来例の花壇構築構造（図９）では、上段側のブロック体１Ｂの垂下部１３が下段側のブロック体１Ｂの上面内側角部に花壇内方側から係止されているので、各ブロック体１Ｂ，１Ｂ間に接着用のモルタルを介在せさなくても、土壌Ｂによる土圧Ｃで上段側ブロック体１Ｂが外側に移動（位置ずれ）することがない。ところが、この第２従来例では、各ブロック体１Ｂ，１Ｂ・・を積み上げた状態では、上段側ブロック体１Ｂが順次垂下部１３の幅Ｗ１づつ花壇内方側に位置ずれすることにより、囲い壁Ｙ２が傾斜状態で構築されてしまうという問題がある。
【０００８】
又、このブロック体１Ｂは、機械生産によって連続して製造され、その順次製造されてくる各ブロック体１Ｂを図１０に示すようにパレットＰ上に積み重ねて保管するが、この第２従来例のブロック体１Ｂでは、一辺側にのみ垂下部１３が形成されているので、整列状態で積み重ねるためには上下のブロック体１Ｂ，１Ｂ間に順次詰め物Ｑをする必要がある。従って、該詰め物Ｑが多数個必要であるという問題があるほか、この詰め物Ｑの挿入作業はブロック体１Ｂが製造されるたびに人手によって行っているので、その詰め物挿入作業が面倒であるとともに、作業員が詰め物挿入作業に拘束されるという問題もある。
【０００９】
図１１に示す第３従来例のブロック体１Ｃは、平面部１０Ｃの一辺（設置時に外側となる）の上面に凸部１４を形成する一方、その下面に幅Ｗ２の凹部１５を設けて構成されている。そして、この第３従来例のブロック体１Ｃは、図１２に示すように、上段側のブロック体１Ｃの凹部１５を下段側のブロック体１Ｃの凸部１４に嵌合させた状態で、該凹部１５の幅Ｗ２だけ花壇内部側にずらせながら積み上げて囲い壁Ｙ３を構築する。
【００１０】
ところで、この第３従来例の花壇構築構造（図１２）では、上段側のブロック体１Ｃの凹部１５が下段側のブロック体１Ｂの凸部１４に花壇内方側から係止されているので、土壌Ｂによる土圧Ｃで上段側ブロック体１Ｃが外側に移動（位置ずれ）することはないが、この場合も、上段側ブロック体１Ｃが順次凹部１５の幅Ｗ２づつ花壇内方側に位置ずれすることにより、囲い壁Ｙ３が傾斜状態で構築されてしまうという問題がある。又、このブロック体１Ｃでも、保管時には図１３に示すように、上下に積み重ねられる各ブロック体１Ｃ，１Ｃ間に詰め物Ｑを挿入する必要があり、第２従来例と同様な問題がある。
【００１１】
本願発明は、上記した各従来例の問題点に鑑み、各ブロック体を順次鉛直姿勢で積み重ねることができ、且つ上下に隣接する各ブロック体同士が相互に凹凸係合した状態で設置できるとともに、保管時に詰め物なしで積層できるようにした花壇構築用ブロック体を提供することを目的としている。
【００１２】
【課題を解決するための手段】
本願発明は、上記課題を解決するための手段として次の構成を有している。尚、本願発明は、多数個のブロック体を上下左右に組付けて花壇用の囲い壁を構築するための花壇構築用ブロック体を対象にしている。
【００１３】
ブロック体の平面部における対向する２辺のうちの第１辺には、その辺長さ方向中央部に辺全長の１／２幅で外向きに突出する広幅凸部と、該広幅凸部の左右各側にそれぞれ辺全長の１／４幅づつの狭幅凹部とを形成している。
【００１４】
又、ブロック体の平面部における第１辺に対向する第２辺には、その辺長さ方向中央部に辺全長の１／２幅の広幅凹部と、該広幅凹部の左右各側にそれぞれ辺全長の１／４幅づつの狭幅凸部とを形成している。尚、第１辺の広幅凸部と第２辺の広幅凹部とが対応する位置にあり、第１辺の各狭幅凹部と第２辺の各狭幅凸部とがそれぞれ対応する位置にある。
【００１５】
さらに、このブロック体には、前記広幅凸部に、該広幅凸部と同幅で且つブロック体平面部の厚さ範囲内で下方に垂下する広幅垂下部を形成する一方、各狭幅凸部に、該狭幅凸部と同幅で且つ広幅垂下部と同高さだけ下方に垂下する狭幅垂下部をそれぞれ形成している。従って、ブロック体平面部の下面側には、第１辺側の中央部に１つの広幅垂下部と第２辺側の両端部にそれぞれ１つづつの狭幅垂下部の合計３つの垂下部が形成されている。尚、広幅垂下部及び各狭幅垂下部のそれぞれ垂下高さは、ブロック体平面部の厚さ範囲内であれば適宜に設定できるが、ブロック体平面部の厚さの１／５程度でもよい。
【００１６】
そして、本願発明のブロック体では、各ブロック体を上下左右に千鳥状に組付けたときに、広幅垂下部が下段側の２つのブロック体の各狭幅凹部で合成される合成凹部内に嵌入し得る一方、広幅凹部内に上段側の２つのブロック体の各狭幅垂下部で合成される合成垂下部が嵌入し得るように構成している。
【００１７】
本願発明のブロック体は、多数個を使用して花壇の囲い壁を構築するが、各段のブロック体は相互に横一列に接続する一方、上下の各ブロック体は１／２幅だけずらせた状態で配置される。このとき、横列の各ブロック体列には、隣接する２つのブロック体間に、各狭幅凹部で合成される合成凹部（広幅凹部と同じ幅となる）と、各狭幅凸部の各狭幅垂下部で合成される合成垂下部（広幅凸部の広幅垂下部と同じ幅となる）とが形成される。そして、上下に積み重ねられる各ブロック体列は、第１辺側（例えば花壇の外面側）において上段側の広幅垂下部が下段側の合成凹部に嵌入される一方、第２辺側（例えば花壇の内面側）において上段側の合成垂下部が下段側の広幅凹部に嵌入される。従って、上下に積み重ねられる各ブロック体は、垂下部と凹部とが前後方向と左右方向の両方で相互に嵌合されるようになる。又、このブロック体で構築された囲い壁では、該囲い壁が鉛直姿勢で立ち上がっている。尚、本願のブロック体は、第１辺側あるいは第２辺側の何れを花壇の外面にしてもよい。
【００１８】
【発明の効果】
本願発明の花壇構築用ブロック体は、次のような効果がある。
【００１９】
まず、本願発明のブロック体には、平面部の第１辺と第２辺の各側の下面にそれぞれ同高さの垂下部（１つの広幅垂下部と２つの狭幅垂下部）が形成されているので、合計３つの垂下部によって水平姿勢を維持させた状態で着座させることができる。従って、製造時あるいは保管時（輸送時も含む）等において各ブロック体を上下に整列状態で積み重ねる際に、従来（図１０、図１３）のように詰め物が不要となるとともに、該詰め物挿入作業（人手）も不要となるという効果がある。
【００２０】
又、本願発明のブロック体を使用して花壇を構築したときに、第１辺側（例えば花壇の外面側）において上段側の広幅垂下部が下段側の合成凹部に嵌入される一方、第２辺側（例えば花壇の内面側）において上段側の合成垂下部が下段側の広幅凹部に嵌入されるので、各ブロック体は、垂下部と凹部とが前後方向と左右方向の両方で相互に嵌合されるようになり、モルタル等の接着剤を使用しなくても、強固な構造の花壇用囲い壁を構築することができるという効果がある。尚、この囲い壁は、花壇の内面側からの圧力（土圧）ばかりでなく、外面側及び左右からの各圧力に対しても姿勢維持強度が高くなる。
【００２１】
さらに、本願発明のブロック体を使用すると、上下に積み重ねた各ブロック体を前後に係合させたものでも、囲い壁を鉛直姿勢で構築することができるという効果もある。
【００２２】
【発明の実施の形態】
以下、図１〜図６を参照して、本願実施形態の花壇構築用ブロック体を説明する。
【００２３】
図１に示す本願実施形態のブロック体１は、コンクリート材あるいはレンガ材で成形されたもので、所定面積及び所定厚さを有する平面部１０における長辺側の対向する２辺（第１辺１１と第２辺１２）に凸部２１，３２，３２と凹部２２，２２，３１を設けるとともに、各凸部にそれぞれ下方に垂下する垂下部２３，３３，３３を設けて構成されている。尚、図１のブロック体１は、花壇構築時に、長辺側（符号Ｅ側）を左右方向に向け、短辺側（符号Ｆ側）を内外方向に向けて設置される関係で、長辺側を左右方向といい、短辺側を内外方向という。又、本願実施形態のブロック体１において、下記の各寸法は、特に限定するものではなく、適宜に設計変更可能である。
【００２４】
この実施形態（図１）のブロック体１の最大外形は、例えば左右幅Ｅが２００ｍｍ、内外幅Ｆが１２５ｍｍ、高さＧが３０ｍｍにそれぞれ設定することができる。
【００２５】
平面部１０の第１辺１１には、その辺長さ方向中央部に広幅凸部２１と該広幅凸部２１の左右各側にそれぞれ狭幅凹部２２，２２とを形成している。広幅凸部２１は、辺全長Ｅ（２００ｍｍ）の１／２幅Ｉ１（幅Ｉ１＝最大で１００ｍｍ）で外向きに幅Ｊ（Ｊ＝２５ｍｍ）だけ突出している。各狭幅凹部２２，２２は、それぞれ辺全長Ｅの１／４幅Ｋ２（幅Ｋ２＝最小で５０ｍｍ）で広幅凸部２１の外面に対して深さＪ（Ｊ＝２５ｍｍ）だけ凹ませている。
【００２６】
平面部１０の第２辺（第１辺１１に対向する辺）１２には、その辺長さ方向中央部に広幅凹部３１と該広幅凹部３１の左右各側にそれぞれ狭幅凸部３２，３２とを形成している。広幅凹部３１は、辺全長Ｅの１／２幅Ｉ２（幅Ｉ２＝最小で１００ｍｍ）で深さＪ（Ｊ＝２５ｍｍ）だけ凹ませている。各狭幅凸部３２，３２は、それぞれ辺全長Ｅの１／４幅Ｋ１（幅Ｋ１＝最大で５０ｍｍ）で広幅凹部３１の底面に対して突出幅がＪ（２５ｍｍ）である。
【００２７】
尚、第１辺１１の広幅凸部２１と第２辺１２の広幅凹部３１とは対応する位置にあり、又、第１辺１１の各狭幅凹部２２，２２と第２辺１２の各狭幅凸部３２，３２とはそれぞれ対応する位置にある。
【００２８】
広幅凸部２１には、該広幅凸部２１と同幅Ｉ１（最大で１００ｍｍ）で且つブロック体平面部１０の厚さＨ（２５ｍｍ）の範囲内で下方に垂下する広幅垂下部２３を形成している。尚、この実施形態では、広幅垂下部２３の垂下高さＬは平面部１０の厚さＨ（最小で２５ｍｍ）の約１／５（約５ｍｍ）に設定している。
【００２９】
又、各狭幅凸部３２，３２には、該狭幅凸部３２と同幅Ｋ１（最大で５０ｍｍ）で且つ広幅垂下部２３と同高さＬ（最大で２５ｍｍ）だけ下方に垂下する狭幅垂下部３３，３３をそれぞれ形成している。
【００３０】
尚、後述（図２参照）するように、広幅凸部２１は下段側の合成凹部２２Ａ内に嵌入され、各狭幅垂下部３３，３３を合成した合成垂下部３３Ａは下段側の広幅凹部３１内に嵌入されるために、各凸部２１，３２の幅（Ｉ１，Ｋ１）は上記各寸法より例えば０．５ｍｍ程度小さくし、逆に各凹部２２，３１の幅（Ｋ２，Ｉ２）は上記各寸法より例えば０．５ｍｍ程度大きくすると嵌合作業が容易となる。
【００３１】
図１のブロック体１は、多数個を使用して図３〜図５に示すように上下左右に組付けて花壇の囲い壁Ｙを構築するが、各段のブロック体列は、図２に示すように、各ブロック体１，１・・を相互に横一列に接続する一方、上下の各ブロック体１，１は１／２幅だけずらせた状態で順次千鳥状に積み重ねていく。そのとき、各段のブロック体列には、外面側（第１辺１１側）に２つの狭幅凹部２２，２２で合成された合成凹部２２Ａが形成される一方、内面側（第２辺１２側）に２つの狭幅垂下部３３，３３で合成された合成垂下部３３Ａが形成される。そして、外面側で上段側の各広幅垂下部２３，２３・・は、その下段側の合成凹部２２Ａ，２２Ａ・・内にそれぞれ嵌入するとともに、内面側で上段側の各合成垂下部３３Ａ，３３Ａ・・は、その下段側の各広幅凹部３１，３１・・内に嵌入する。尚、１段おきの各ブロック体列の一方の端部には、図２及び図３に示すように半割ブロック体２が接続される。この半割ブロック体２は、正規のブロック体１を１／２幅に分割したものであり、この半割ブロック体２，２・・を１段おきの各ブロック体列の一方の端部に接続させることにより、囲い壁Ｙの端面を面一に揃えることができる。尚、最下段の各ブロック体１の各垂下部２３，３３，３３は、図４に示すように、地面Ａ中に埋め込んでおくとよい。又、囲い壁Ｙにおける最上段のブロック体列には、合成凹部２２Ａや広幅凹部３１あるいは半割ブロック体２部分に空所４，４（図３）が形成されるが、これらの凹部や空所には、それぞれスペーサー３（図２、図４、図５）を装着するとよい。この場合、各スペーサー３はモルタルで接着させるとよい。
【００３２】
このブロック体１を使用した囲い壁Ｙでは、上下のブロック体１，１・・を前後から嵌合させたものであっても、図４に示すように鉛直姿勢に積み上げることができる（囲い壁が傾斜しない）。
【００３３】
又、このようにして構築された花壇の囲い壁Ｙでは、各ブロック体１，１・・が上下に隣接する各ブロック体に対して垂下部（広幅垂下部２３、狭幅垂下部３３）と凹部（狭幅凹部２２，広幅凹部３１）とで前後から嵌合されているので、前後方向の結合力が強くなるとともに、左右のブロック体１，１（合成凹部２２Ａ）に跨がって上段側のブロック体１の広幅垂下部２３が嵌入しているので、左右の結合力も強くなる。従って、図４に示すように、囲い壁Ｙ内に土壌Ｂが充填されて該囲い壁Ｙに土圧Ｃがかかっても、各ブロック体１，１・・が位置ずれすることがなく、安定した姿勢を維持する。
【００３４】
又、このブロック体１は機械生産によって連続製造され、図６に示すように同位置においてパレットＰ上に順次積み重ねられるが、ブロック体１の下面側には同高さの３つの垂下部（２３，３３，３３）が設けられているので、各垂下部が脚部となって各ブロック体１，１・・自身で姿勢保持できる。従って、各ブロック体１，１・・を詰め物なしで鉛直姿勢で積み重ねることができる（図１０又は図１３の従来例に比して、詰め物が不要になるとともに、ブロック体１，１・・の積み重ね作業が容易となる）。
【図面の簡単な説明】
【図１】本願実施形態の花壇構築用ブロック体の斜視図である。
【図２】図１のブロック体の使用形態を示す斜視図である。
【図３】図１のブロック体を使用して構築した花壇用囲い壁の斜視図である。
【図４】図３のＩＶ−ＩＶ断面図である。
【図５】図３のＶ−Ｖ断面図である。
【図６】図１のブロック体の積み重ね状態の斜視図である。
【図７】第１従来例のブロック体を使用した花壇用囲い壁の縦断面図である。
【図８】第２従来例の花壇構築用ブロック体の斜視図である。
【図９】図８のブロック体を使用して構築した花壇用囲い壁の縦断面図である。
【図１０】図８のブロック体の積み重ね状態の側面図である。
【図１１】第３従来例の花壇構築用ブロック体の斜視図である。
【図１２】図１１のブロック体を使用して構築した花壇用囲い壁の縦断面図である。
【図１３】図１１のブロック体の積み重ね状態の側面図である。
【符号の説明】
１はブロック体、１０は平面部、１１は第１辺、１２は第２辺、２１は広幅凸部、２２は狭幅凹部、２２Ａは合成凹部、２３は広幅垂下部、３１は広幅凹部、３２は狭幅凸部、３３は狭幅垂下部、３３Ａは合成垂下部である。
【図１】
0003590602.tif 000002
【図２】
0003590602.tif 000003
【図３】
0003590602.tif 000004
【図４】
0003590602.tif 000005
【図５】
0003590602.tif 000006
【図６】
0003590602.tif 000007
【図７】
0003590602.tif 000008
【図８】
0003590602.tif 000009
【図９】
0003590602.tif 000010
【図１０】
0003590602.tif 000011
【図１１】
0003590602.tif 000012
【図１２】
0003590602.tif 000013
【図１３】
0003590602.tif 000014